(57)【特許請求の範囲】
【請求項１】
喫煙物品（５）の包んだ束であって、
上部側面と、底部側面（３２０）と、少なくとも１つの長い側面（３３０、３４０）とを有する内側表面（３２０、３３０、３４０）を含む少なくとも１つの内側ライナ（３）、
を含み、
前記内側表面（３２０、３３０、３４０）には、タバコ・ショーツ（４）を貼り付かせるための少なくとも１つの接着区画（３７）が、該内側表面（３２０、３３０、３４０）の前記少なくとも１つの長い側面（３３０、３４０）上に設けられ、
前記少なくとも１つの接着区画は、１つ又はそれよりも多くのストライプの形態を有する
ことを特徴とする束。
【請求項２】
少なくとも１つの接着区画（３７）が、前記内側表面（３２０、３３０、３４０）の前記少なくとも１つの長い側面（３３０、３４０）上に加えて、さらに前記底部側面（３２０）上に設けられることを特徴とする請求項１に記載の包んだ束。
【請求項３】
前記接着区画は、それぞれの前記内側表面（３２０、３３０、３４０）への接着剤の付加によって生成されることを特徴とする請求項１又は請求項２に記載の包んだ束。
【発明の詳細な説明】
【技術分野】
【０００１】
本発明は、シガレットのような喫煙物品、特に、フィルタ付きシガレットのようなフィルタを含む喫煙物品の包んだ束に関する。
【背景技術】
【０００２】
包装する目的で、所定の丁合の複数の喫煙物品が、内側ライナ内に緊密に包まれ、包んだ束を形成する。
典型的には、喫煙物品の束を包むのに使用される内側ライナは、単一包装材料、例えば、紙又はアルミニウム箔から、又は包装材料の組合せ、例えば、紙、アルミニウム箔、及びプラスチック材料からのいずれかで作られる。
【０００３】
喫煙物品の束が内側ライナに包まれた後に、束は、例えば、束の側面に沿って、並びに束の底部及び上部上で内側ライナフラップを接着又は密封することによって閉じられる。典型的には、包んだ束は、次に、例えば、外側パック、例えば、ヒンジ蓋式パックに挿入されるか、又はヒンジ蓋式パックが、包んだ束の周りに組み立てられる。
代替的に、包んだ束は、シガレットの外側包装とすることができる。その場合、内側ライナは、喫煙物品のパックの外側包装紙である。
フィルタを含む喫煙物品は、典型的には、切断した充填物を含有したタバコロッド区画と、１つ又はそれよりも多くのフィルタセグメントを含むフィルタ区画とを含む。従って、フィルタ付きシガレットは、フィルタ端部とタバコロッド端部を含む。
【０００４】
包装工程、続くパック輸送及びハンドリング中に、タバコ粒子は、タバコロッドから脱落することがある。これらのタバコ粒子は、「タバコ・ショーツ」と呼ばれることが多い。ハンドリングのために、タバコ・ショーツは、包んだ束の内側に移動する傾向がある。包んだ束が開かれる前でも、タバコ・ショーツは、喫煙物品の外側まで、フィルタが存在する場合は喫煙物品のフィルタ端部まで、かつ内側ライナの表面まで移行していることがある。目に見えるタバコ・ショーツは、喫煙物品のパックに対してかつ喫煙物品自体に対して望ましくない外観をもたらし、喫煙物品のフィルタに対して特に望ましくない。
目に見えるタバコ・ショーツの数を低減するために、タバコロッドは、喫煙物品の製造中に喫煙物品のタバコロッド端部の領域で圧縮される。圧縮された区画は、「高密度端部」と呼ばれる。開いたタバコロッド端部におけるタバコロッドの圧縮は、より小さな粒子が脱落するのを防ぐプラグとしての役割を果たす。それでも、高密度端部がタバコ・ショーツの発生を完全に防止するわけではない。
【発明の概要】
【発明が解決しようとする課題】
【０００５】
従って、包んだ束の内側のタバコ・ショーツの動きを低減する喫煙物品の包んだ束を提供し、特に、フィルタが存在する場合に、タバコ・ショーツがフィルタ端部に到達するのを防止することが本発明の目的である。
【課題を解決するための手段】
【０００６】
目に見えるタバコ・ショーツの数を更に低減するために、本発明による喫煙物品の包んだ束は、内側表面を含む内側ライナを含み、内側表面には、タバコ・ショーツを貼り付かせるための少なくとも１つの接着区画を設ける。この少なくとも１つの接着区画は、タバコ・ショーツが喫煙物品の開いた端部から離れて動くのを防止するか又は少なくとも低減する。
内側ライナの「内側表面」という用語は、本明細書を通して束内の喫煙物品に面する内側ライナの表面を意味するように使用される。束の形状次第で、内側表面は、２つ又はそれよりも多くの長い側面、底部側面、及び上部側面を有する。長い側面は、束の内側で喫煙物品の縦方向に対して平行である。
【０００７】
喫煙物品の束の「上部側面」という用語は、本明細書を通して喫煙物品を束から取り出すために開放している束の側面を意味するように使用される。一般的に、フィルタ付きの喫煙物品は、喫煙物品のフィルタ端部が束の上部側面に近いように束の内側ライナの内側に配列される。
喫煙物品の束の「底部側面」という用語は、本明細書を通して上部側面から遠くの束の側面を意味するように使用される。一般的に、フィルタ付きの喫煙物品は、喫煙物品の高密度端部が束の底部側面に近いように束の内側ライナ内側に配列される。
【０００８】
好ましくは、少なくとも１つの接着区画は、低粘着性であり、タバコ・ショーツを少なくとも１つの接着区画に貼り付かせるように十分なほど粘着性であるが、同時に、喫煙物品が少なくとも１つの接着区画に強固に接着するに足りるほど粘着性ではない。適切な接着剤は、低粘着性接着剤であり、例えば、両方とも「ＨＥＮＫＥＬ  ＡＧ」から市販されている「ＰＲＩＭＡＧＲＩＰ  ３８−６３８」のような例えば合成半感圧性ホットメルト接着剤又は「Ｔ０ＢＡＣ０ＬＬ  ＺＤ  ４４０４−０１」のような例えば水ベースのポリエチレン接着剤か、又は取外し可能アクリルベースの接着剤である。
【０００９】
好ましくは、少なくとも１つの接着区画は、内側ライナの内側表面の少なくとも１つの長い側面に設けられる。好ましくは、少なくとも１つの長い側面の少なくとも１つの接着区画は、束の底部側面により接近して配列される。
代替的に又は追加的に、少なくとも１つの接着区画又は付加的接着区画は、喫煙物品のタバコロッド端部に面する内側ライナの底部側面の内側表面上に設けられる。
【００１０】
少なくとも１つの接着区画は、１つ又はそれよりも多くのストライプの形態であることが好ましい。好ましくは、１から１００のストライプが内側ライナの長い表面の側に配列される。接着剤のストライプが３から１０の実施形態では、ストライプは、同様の間隔及び幅にして、又は可変間隔及び可変幅にして配列することができる。３から１０の接着剤ストライプが可変の間隔又は幅を有する場合、好ましくは、束の底部側面の近くでは、間隔がより狭く、接着性ストライプの幅がより広い。ストライプの幅及び間隔次第で、より多い数のストライプ、例えば、２０、５０、又は１００のストライプを内側ライナの内側表面の長い側面に配列することができる。
【００１１】
代替的に又は追加的に、少なくとも１つの接着区画は、接着剤で単に部分的に、例えば、点、ストライプ、又は格子パターンで、又は接着剤被覆のいずれか他のデザインを用いて覆われる。
例えば、１つ又はそれよりも多くのストライプは、約０．１ｍｍから約１０ｍｍの間、好ましくは、約１ｍｍから約５ｍｍの間の幅を有する。２つよりも多いストライプが存在する場合、ストライプは、好ましくは、約０．１ｍｍから約１０ｍｍの間、好ましくは、約１ｍｍから約５ｍｍの間の距離を有する。
少なくとも１つの接着区画の１つ又はそれよりも多くのストライプは、実質的に水平方向に配列されることが更に好ましい。好ましくは、１から１０のストライプが、内側ライナの長い表面の側に実質的に水平に配列される。
【００１２】
代替的に、少なくとも１つの長い側面の内側表面上の１つ又はそれよりも多くのストライプは、実質的に垂直方向に配列される。
代替的に又は追加的に、少なくとも１つの接着区画は、例えば、ジグザグ又は波状線と、点と、文字タイプと、格子と、三角形、半円形、又はその他のような幾何学形状と、その組合せとの形態を有するか、又は内側ライナの内側表面全体を覆うことができる。
少なくとも１つの接着区画は、それぞれの内側表面区画への接着剤又は糊の付加によって生成することができる。糊は、例えば、内側ライナの製造工程中に接着剤付加ユニットにおける接着剤ノズルシステムによって付加される。代替的に、糊は、包んだ束の包装工程中に付加することができる。
【００１３】
本発明の別の態様は、外側パックと外側パックの内側の包んだ束とを含む喫煙物品のためのパックに関し、包んだ束は、上述のような包んだ束である。
一実施形態では、喫煙物品のためのパックは、ヒンジ蓋式パックであり、一方、別の実施形態では、喫煙物品のためのパックは、ソフトパックである。代替的に、本発明による包んだ束は、最終のパックである。その場合、内側ライナは、喫煙物品の束の外側のかつ唯一の包装紙である。
更に別の有利な実施形態又は態様は、添付図面の助けを借りて本発明による包んだ束の実施形態の以下の説明から明らかになる。
【図面の簡単な説明】
【００１４】
【図１】タバコ・ショーツが内側底部側面表面上で目に見える包んだ束を含むヒンジ蓋式パックの斜視図である。
【図２】図１の包んだ束の斜視図である。
【図３】内側底部表面上に接着区画、及びより大きな側面表面の各々に水平に延びる接着区画が設けられた本発明による包んだ束のための内側ライナブランク紙の実施形態を示す図である。
【発明を実施するための形態】
【００１５】
図１では、外側パック２と外側パック２の内側の包んだ束とを含むいわゆるヒンジ蓋式パック１を示している。包んだ束は、ある一定の丁合の喫煙物品５の周りを緊密に包んだ内側ライナ３を含む。包んだ束は、その上部側面において部分的に重なっているフラップ３０及び３１を有する。図１の切り欠き部分では、喫煙物品５のタバコロッド端部が指す位置に内側ライナ３の内側表面の底部側面においてタバコ・ショーツ４が見える。
図２は、包んだ束をより詳細に示している。それは、その上部側面において２つの部分的に重なっているフラップ３０、３１と、底部側面３２と、前面３３及び背面３４を形成する２つのより大きな長い側面表面、並びに２つのより小さな長い側面表面３５及び３６とを含む。
【００１６】
図３には、本発明による内側ライナ３のブランク紙の実施形態が示されている。内側ライナ３の内側表面には、図中に対角線状ストライプ背景でマーク付けした水平に延びる接着性ストライプ３７を含む接着区画３７が設けられる。図３に示す実施形態では、内側ライナの内側表面３３０及び３４０のより大きな長い側面の各々に対して１つの接着区画が配列される。併せて、底部内側表面３２０は、低粘着性接着剤又は糊で完全に被覆される。喫煙物品５の高密度端部から脱落することがあるタバコ・ショーツ４は、内側表面３２０の接着性底部側面に貼り付くことによって捕捉される。併せて、更に別のタバコ・ショーツ４は、それぞれ長い側面３３０及び３４０に設けられた接着性ストライプ３７によって捕捉することができる。これは、タバコ・ショーツを包んだ束の下端部に保持する。従って、包んだ束の上部側面又は喫煙物品のフィルタ上にタバコ・ショーツが殆ど又は全く出現しないことになる。喫煙物品５といかなる接着区画３７との間の接着剤も、包んだ束内の喫煙物品が接着区画３７にごく僅かしか又は全く貼り付かないようなものである。
【００１７】
代替的な実施形態（図示せず）では、内側ライナ３のブランク紙には、より大きな及びより小さな長い側面表面３３０及び３４０の各々に２つの別々の水平に延びるストライプ３７が設けられる。
更に別の代替的な実施形態（図示せず）では、内側ライナ３のブランク紙には、底部表面を除いてより大きな及びより小さな長い側面表面３３０及び３４０の各々に５つの別々の水平に延びるストライプ３７が設けられる。
更に別の代替的な実施形態（図示せず）では、内側ライナ３のブランク紙には、より大きな内側表面３３０及び３４０の各々に４つの垂直に延びる接着性ストライプ３７が設けられる。
【００１８】
一般的に、接着剤は、いずれかの適切な方法で付加される。例えば、接着剤は、グラビア又はフレキソ印刷工程と同様のエンボス又はデボスローラにより、又はノズルを通して付加される。開示したストライプは、接着区画のパターンの単なる例示である。点、点と線の組合せ、格子を形成する水平線、対角線、及び垂直線の組合せのような他のパターン、又は更に１つ、２つ、３つ、４つ、５つ、又は全ての完全に被覆された内側ライナ表面を考えることができる。接着剤は、包装機の付加的な工程段階としてオンラインで、又は例えば内側ライナが包装機に給送される前にオフラインでそのいずれかで付加される。
【符号の説明】
【００１９】
３  内側ライナ
３７  接着区画
３２０  内側表面、底部側面
３３０、３４０  内側表面、長い側面
【図１】
0005603234.tif 000002
【図２】
0005603234.tif 000003
【図３】
0005603234.tif 000004